(57)【特許請求の範囲】
【請求項１】
内容物が収容される容器本体と、該容器本体の口部に装着された中栓と、前記口部に着脱可能に装着され前記中栓を覆うキャップ体と、を備え、
前記中栓は、前記容器本体の内部に連通する内保持筒を有するとともに前記口部に固定された内部材と、
前記内保持筒の内部と前記容器本体の外部とを連通する外保持筒を有するとともに、前記内部材に、容器軸方向に沿った前記容器本体の外部側に向けて移動可能に配設された外部材と、
前記内保持筒および前記外保持筒の内部に回転可能に保持されるとともに、端部が前記外保持筒から前記外部側に向けて突出する塗布ボールと、を備え、
前記塗布ボールの外面には、前記内保持筒の内面に設けられた内環状シール部が、容器軸方向に沿った前記容器本体の内部側から液密に当接するとともに、前記外保持筒の内面に設けられた外環状シール部が、前記外部側から液密に当接し、
前記外部材は、当該外部材と前記内部材または前記口部との間に配設された付勢部材により、前記内部材に対して前記外部側に付勢されるとともに、前記キャップ体により前記外部側に向けた移動が規制されていることを特徴とする塗布容器。
【請求項２】
請求項１記載の塗布容器であって、
前記付勢部材は、前記内部材と前記外部材との間に配設されるとともに、これらの内部材と外部材との間をシールしていることを特徴とする塗布容器。
【請求項３】
請求項１または２に記載の塗布容器であって、
前記キャップ体は、前記外部材において前記外保持筒を回避した部分に当接することで、該外部材の移動を規制していることを特徴とする塗布容器。
【発明の詳細な説明】
【技術分野】
【０００１】
本発明は、塗布容器に関する。
【背景技術】
【０００２】
従来から、例えば下記特許文献１に示されるような塗布容器が知られている。この塗布容器は、内容物が収容される容器本体と、容器本体の口部に不動に組み付けられ、内周面の略中央部に支持シール条を突周設するとともに、上端部が縮径することで保持部とされた保持筒体と、球体の中央部よりやや下部が支持シール条に支持されるとともに、中央部よりやや上部が保持部に抜け出し不能に保持されて、保持筒体内に離脱不能にかつ回転可能に収容されたボール栓と、容器本体の口部に着脱可能に組み付けられ、口部に組み付けられたときにボール栓の上面を押圧し、該ボール栓の下面を支持シール条に圧着させるキャップと、を備えている。
【先行技術文献】
【特許文献】
【０００３】
【特許文献１】特開２００１−９７４３４号公報
【発明の概要】
【発明が解決しようとする課題】
【０００４】
しかしながら、前記従来の塗布容器では、ボール栓の下面が支持シール上に圧着されることで、内容物の漏出がある程度、抑えられているものの、内容物の漏出を抑制することについてまだ改善の余地があった。
【０００５】
本発明は、前述した事情に鑑みてなされたものであって、その目的は、良好な塗布性能を具備させつつ、内容物の漏出を効果的に抑制することができる塗布容器を提供することである。
【課題を解決するための手段】
【０００６】
前記課題を解決するために、本発明は以下の手段を提案している。
本発明に係る塗布容器は、内容物が収容される容器本体と、該容器本体の口部に装着された中栓と、前記口部に着脱可能に装着され前記中栓を覆うキャップ体と、を備え、前記中栓は、前記容器本体の内部に連通する内保持筒を有するとともに前記口部に固定された内部材と、前記内保持筒の内部と前記容器本体の外部とを連通する外保持筒を有するとともに、前記内部材に、容器軸方向に沿った前記容器本体の外部側に向けて移動可能に配設された外部材と、前記内保持筒および前記外保持筒の内部に回転可能に保持されるとともに、端部が前記外保持筒から前記外部側に向けて突出する塗布ボールと、を備え、前記塗布ボールの外面には、前記内保持筒の内面に設けられた内環状シール部が、容器軸方向に沿った前記容器本体の内部側から液密に当接するとともに、前記外保持筒の内面に設けられた外環状シール部が、前記外部側から液密に当接し、前記外部材は、当該外部材と前記内部材または前記口部との間に配設された付勢部材により、前記内部材に対して前記外部側に付勢されるとともに、前記キャップ体により前記外部側に向けた移動が規制されていることを特徴とする。
【０００７】
この発明では、塗布ボールの外面に、内環状シール部が前記内部側から当接するとともに、外環状シール部が前記外部側から当接しており、塗布ボールが、両環状シール部により容器軸方向の両側から挟み込まれることで、塗布ボールの移動が規制されている。このような塗布ボールの外面に、各環状シール部が液密に当接することにより、各環状シール部と塗布ボールの外面との間でそれぞれ、高いシール性が確保されている。
【０００８】
内容物を塗布するために、キャップ体を容器本体の口部から離脱させると、キャップ体による外部材の移動の規制が解除され、付勢部材により外部材が内部材に対して前記外部側に移動させられる。これにより、外環状シール部が、塗布ボールの外面から前記外部側に離間し、外環状シール部と塗布ボールの外面との間に、内保持筒、外保持筒および塗布ボールの間の中栓空間と、容器本体の外部と、を連通する外隙間が画成されるとともに、塗布ボールの移動の規制が解除される。
その後、塗布ボールにおいて外保持筒から突出する端部を、内容物を塗布する被塗布部に押し当てて、外環状シール部を塗布ボールの外面から離間させながら、当該塗布容器を被塗布部に沿って移動させ、塗布ボールを回転させる。すると、前記中栓空間内の内容物が、前記外隙間を通して容器本体の外部に至り、塗布ボールの外面から被塗布部に塗布される。
【０００９】
以上より、当該塗布容器によれば、内保持筒と塗布ボールとの間、および外保持筒と塗布ボールとの間を通した容器本体の内部と外部との連通が、高いシール性を発揮する２つの環状シール部により遮断されているので、内容物の漏出を効果的に抑制することができる。
また、キャップ体を容器本体の口部から離脱させることで、前記中栓空間内の内容物を、前記外隙間を通して容器本体の外部に至らせて、塗布ボールの外面から被塗布部に塗布することができるので、当該塗布容器に良好な塗布性能を具備させることもできる。
【００１０】
また、前記付勢部材は、前記内部材と前記外部材との間に配設されるとともに、これらの内部材と外部材との間をシールしていてもよい。
【００１１】
この場合、付勢部材が、内部材と外部材との間をシールしているので、内保持筒と塗布ボールとの間、および内部材と外部材との間を通した容器本体の内部と外部との連通が、内環状シール部および付勢部材の両方で遮断されることとなり、内容物の漏出を更に効果的に抑制することができる。
【００１２】
また、前記キャップ体は、前記外部材において前記外保持筒を回避した部分に当接することで、該外部材の移動を規制していてもよい。
【００１３】
この場合、キャップ体が、外部材において外保持筒を回避した部分に当接することで、外部材の移動を規制しているので、キャップ体を外保持筒に当接させずに外部材の移動を規制することで、外保持筒に加えられる負荷を低減することが可能になり、外保持筒の形状を長期間にわたって高精度に維持し易くすることができる。これにより、外環状シール部と塗布ボールの外面との間のシール性を確保しつつ、キャップ体を容器本体の口部から離脱させたときに、前記外隙間を確実に画成することが可能になり、当該塗布容器に、一層良好な塗布性能を具備させつつ、内容物の漏出を更に効果的に抑制することができる。
【発明の効果】
【００１４】
本発明に係る塗布容器によれば、良好な塗布性能を具備させつつ、内容物の漏出を効果的に抑制することができる。
【図面の簡単な説明】
【００１５】
【図１】本発明の一実施形態に係る塗布容器の要部の縦断面図である。
【図２】図１に示す塗布容器において容器本体の口部からキャップ体を離脱させた状態を示す縦断面図である。
【図３】本発明の一変形例に係る塗布容器の要部の縦断面図である。
【図４】図３に示す塗布容器において容器本体の口部からキャップ体を離脱させた状態を示す縦断面図である。
【発明を実施するための形態】
【００１６】
以下、図面を参照し、本発明の一実施形態に係る塗布容器を説明する。
図１に示すように、塗布容器１０は、内容物が収容される有底筒状の容器本体１１と、該容器本体１１の口部１２に装着された中栓１３と、前記口部１２に着脱可能に装着され中栓１３を覆う有頂筒状のキャップ体１４と、を備えている。この塗布容器１０は、内容物として、例えば液状体などを容器本体１１内に収容する。
ここで、容器本体１１およびキャップ体１４の各中心軸線は、共通軸上に位置している。以下、この共通軸を容器軸Ｏといい、容器軸Ｏ方向に沿った容器本体１１側を下側といい、キャップ体１４側を上側といい、容器軸Ｏに直交する方向を径方向といい、容器軸Ｏ回りに周回する方向を周方向という。
【００１７】
容器本体１１の口部１２は、大径の下口筒１５と小径の上口筒１６とが連設されてなる。上口筒１６には、径方向の外側に向けて環状の第１係合部１７が突設されている。
中栓１３は、容器本体１１の内部に連通する内保持筒１８を有するとともに容器本体１１の口部１２に固定された内部材１９と、内保持筒１８の内部と容器本体１１の外部とを連通する外保持筒２０を有するとともに、内部材１９に、上側（容器軸方向に沿った容器本体の外部側）に向けて移動可能に配設された外部材２１と、内保持筒１８および外保持筒２０の内部に回転可能に保持されるとともに、端部が外保持筒２０から上側に向けて突出する塗布ボール２２と、を備えている。
【００１８】
内保持筒１８は、容器軸Ｏと同軸に配置されている。内保持筒１８は、下方（容器軸方向に沿った容器本体の内部側）に向かうに従い漸次、縮径しており、内保持筒１８の内周面は凹球面状に形成されている。内保持筒１８の下端部は、径方向の内側に向けて延在しており、この下端部における内周面（内面）には、容器軸Ｏと同軸に配置されるとともに上方に向けて突出する内環状シール部２３が設けられている。内環状シール部２３は、基端から突端に向かうに従い漸次、狭幅となる先細り形状に形成されている。内保持筒１８の外周面（外面）において内環状シール部２３に対応する部分には、容器軸Ｏと同軸に配置されたリング突条２４が設けられている。リング突条２４は、内保持筒１８の下端部における外周面から下方に向けて突設されている。
【００１９】
内保持筒１８には、下側に向けて垂下筒２５が突設されている。垂下筒２５は、容器軸Ｏと同軸に配置されるとともに、容器本体１１の口部１２内に嵌合されている。垂下筒２５は、口部１２の上口筒１６内に嵌合され、垂下筒２５の下端部は、内保持筒１８の下端部よりも下方に位置し、前記リング突条２４を径方向の外側から囲繞している。垂下筒２５と、内保持筒１８において垂下筒２５との連結部分よりも下側に位置する受圧部分と、は、径方向に延在する補強リブ２６により連結されている。補強リブ２６の下端縁は、径方向に沿って直線状に延在しており、補強リブ２６は、正面視において三角形をなす板状に形成されている。補強リブ２６は、周方向に間隔をあけて複数配置されている。
【００２０】
垂下筒２５には、径方向の外側に向けて環状の固定フランジ２７が突設されている。固定フランジ２７は、垂下筒２５の上端から径方向の外側に突設され、容器本体１１の口部１２の開口端縁上に配置されている。固定フランジ２７の上面には、容器軸Ｏと同軸に配置された環状凹溝２８が形成されている。環状凹溝２８の内面は、当該塗布容器１０の容器軸Ｏ方向に沿った縦断面視において下方に向けて凸をなす凹曲面状に形成されている。
【００２１】
外部材２１には、内部材１９の内保持筒１８および容器本体１１の口部１２に一体に外挿され、これらの内保持筒１８および口部１２により上側に向けた移動が案内されるガイド筒２９が備えられている。ガイド筒２９は、下側の大径部３０と上側の小径部３１とが連結段部３２を介して連結されてなり、容器軸Ｏと同軸に配置されている。
大径部３０は、容器本体１１の口部１２における上口筒１６、および内部材１９の固定フランジ２７に外挿されている。大径部３０の下端部は、上口筒１６の前記第１係合部１７よりも下方に位置しており、この下端部には、第１係合部１７に下方から係合可能な第２係合部３３が、径方向の内側に向けて環状に突設されている。第２係合部３３は、第１係合部１７に係合することで、外部材２１の内部材１９に対する上側に向けた移動を規制可能とされ、外部材２１は、内部材１９に対して上側に向かう移動量が規制されている。
【００２２】
外保持筒２０は、容器軸Ｏと同軸に配置されるとともにガイド筒２９よりも小径となっている。外保持筒２０の下端の内径は、内保持筒１８の上端の内径と同等とされ、外保持筒２０は、上側に向かうに従い漸次、縮径している。外保持筒２０の内周面は凹球面状に形成されるとともに、外保持筒２０の外周面は凸球面状に形成されている。外保持筒２０の下端は、内保持筒１８の上端に上側から液密に当接するとともに、ガイド筒２９の上端に径方向の内側から連結されている。
【００２３】
塗布ボール２２の外径は、内保持筒１８の下端開口部の内径および外保持筒２０の上端開口部の内径よりも大きくなっており、塗布ボール２２は、内保持筒１８および外保持筒２０の内部から容器軸Ｏ方向に離脱不能とされている。塗布ボール２２の中心は、容器軸Ｏ上に位置している。塗布ボール２２の下端部は、内保持筒１８内に配置され、塗布ボール２２の上端部は、外保持筒２０から上側に突出し、塗布ボール２２の下端部と上端部との間の中間部は、外保持筒２０内に配置されている。
【００２４】
そして本実施形態では、塗布ボール２２の外面には、内保持筒１８の前記内環状シール部２３が下側から液密に当接するとともに、外保持筒２０の内面に設けられた外環状シール部３４が、上側から液密に当接している。外環状シール部３４は、外保持筒２０において、塗布ボール２２の中心よりも上側に位置する部分の内周面により構成されており、容器軸Ｏと同軸に配置されている。内環状シール部２３および外環状シール部３４はそれぞれ、塗布ボール２２の外面に全周にわたって液密に当接している。なお外環状シール部３４が、塗布ボール２２の外面に当接することで、外保持筒２０が径方向に弾性変形していてもよい。
【００２５】
さらに本実施形態では、外部材２１は、当該外部材２１と、内部材１９または容器本体１１の口部１２と、の間に配設された付勢部材３５により、内部材１９に対して上側に付勢された状態で、キャップ体１４により上側に向けた移動が規制されている。
付勢部材３５は、内部材１９と外部材２１との間に配設されるとともに、これらの内部材１９と外部材２１との間をシールしている。付勢部材３５は、容器軸Ｏと同軸の環状に形成されている。付勢部材３５は、内部材１９および外部材２１とは別体に成形されるとともに、内部材１９と外部材２１とに容器軸Ｏ方向に挟み込まれている。付勢部材３５は、内部材１９の前記環状凹溝２８に配置され、内部材１９の前記固定フランジ２７と、外部材２１の前記連結段部３２と、の間で容器軸Ｏ方向に圧縮変形させられている。付勢部材３５は、環状凹溝２８の内面および連結段部３２の下面それぞれに全周にわたって液密に当接しており、内部材１９と外部材２１との間を全周にわたってシールしている。なお図示の例では、付勢部材３５は、前記縦断面視において円形状をなすいわゆるＯリングとされている。
【００２６】
キャップ体１４は、外部材２１において外保持筒２０を回避した部分に当接することで、該外部材２１の移動を規制しており、外部材２１の外保持筒２０および塗布ボール２２の上端部から離間している。キャップ体１４の周壁部は、大径の下周壁３６と小径の上周壁３７とが連設されてなる。下周壁３６は、外部材２１の前記大径部３０および容器本体１１の前記下口筒１５に一体に外挿されるとともに下口筒１５に螺着され、上側に向けた移動が規制されている。上周壁３７の下端縁は、外部材２１の前記連結段部３２に上方から当接している。
【００２７】
前記塗布容器１０では、塗布ボール２２の外面に、内環状シール部２３が下側から当接するとともに、外環状シール部３４が上側から当接しており、塗布ボール２２が、両環状シール部２３、３４により容器軸Ｏ方向の両側から挟み込まれることで、塗布ボール２２の移動が規制されている。このような塗布ボール２２の外面に、各環状シール部２３、３４が液密に当接することにより、各内環状シール部２３、３４と塗布ボール２２の外面との間でそれぞれ、高いシール性が確保されている。
【００２８】
図２に示すように、内容物を塗布するために、キャップ体１４を容器本体１１の口部１２から離脱させると、キャップ体１４による外部材２１の移動の規制が解除され、付勢部材３５の復元変形力により外部材２１が内部材１９に対して上側に移動させられる。これにより、外環状シール部３４が、塗布ボール２２の外面から上側に離間し、外環状シール部３４と塗布ボール２２の外面との間に、内保持筒１８、外保持筒２０および塗布ボール２２の間の中栓空間３８と、容器本体１１の外部と、を連通する外隙間３９が画成されるとともに、塗布ボール２２の移動の規制が解除される。
【００２９】
なお図示の例では、キャップ体１４が容器本体１１の口部１２から離脱され、内部材１９が外部材２１に対して上側に移動させられた状態であっても、付勢部材３５は、固定フランジ２７の前記環状凹溝２８の内面および外部材２１の前記連結段部３２の下面それぞれに全周にわたって液密に当接しており、内部材１９と外部材２１との間をシールしている。またこのとき、例えば内部材１９の前記第１係合部１７と、外部材２１の前記第２係合部３３と、が係合すること等により、外部材２１が内部材１９から上側に向けて離脱することが規制されてもよい。
【００３０】
ここで、キャップ体１４を容器本体１１の口部１２から離脱させた状態で、例えば当該塗布容器１０を上下反転させる等すると、塗布ボール２２が、内保持筒１８および外保持筒２０内で容器軸Ｏ方向に移動し、塗布ボール２２の外面が、内環状シール部２３から離間する。すると、内環状シール部２３と塗布ボール２２の外面との間に、中栓空間３８と容器本体１１の内部とを連通する図示しない内隙間が画成され、容器本体１１内の内容物が、前記内隙間を通して中栓空間３８内に供給される。
【００３１】
そして、塗布ボール２２において外保持筒２０から突出する端部を、内容物を塗布する被塗布部に押し当てて、外環状シール部３４を塗布ボール２２の外面から離間させながら、当該塗布容器１０を被塗布部に沿って移動させ、塗布ボール２２を回転させる。すると、前記中栓空間３８内の内容物が、前記外隙間３９を通して容器本体１１の外部に至り、塗布ボール２２の外面から被塗布部に塗布される。
なお、例えば前記中栓空間３８内に内容物が貯留されている場合などには、塗布容器１０を上下反転させずに中栓空間３８内の内容物を塗布してもよい。
【００３２】
以上説明したように、本実施形態に係る塗布容器１０によれば、内保持筒１８と塗布ボール２２との間、および外保持筒２０と塗布ボール２２との間を通した容器本体１１の内部と外部との連通が、高いシール性を発揮する２つの環状シール部２３、３４により遮断されているので、内容物の漏出を効果的に抑制することができる。
また、キャップ体１４を容器本体１１の口部１２から離脱させることで、前記中栓空間３８内の内容物を、前記外隙間３９を通して容器本体１１の外部に至らせて、塗布ボール２２の外面から被塗布部に塗布することができるので、当該塗布容器１０に良好な塗布性能を具備させることもできる。
【００３３】
また付勢部材３５が、内部材１９と外部材２１との間をシールしているので、内保持筒１８と塗布ボール２２との間、および内部材１９と外部材２１との間を通した容器本体１１の内部と外部との連通が、内環状シール部２３および付勢部材３５の両方で遮断されることとなり、内容物の漏出を更に効果的に抑制することができる。なお本実施形態では、外保持筒２０の下端が、内保持筒１８の上端に液密に当接しているので、前述の連通をより確実に遮断することができる。
【００３４】
またキャップ体１４が、外部材２１において外保持筒２０を回避した部分に当接することで、外部材２１の移動を規制しているので、キャップ体１４を外保持筒２０に当接させずに外部材２１の移動を規制することで、外保持筒２０に加えられる負荷を低減することが可能になり、外保持筒２０の形状を長期間にわたって高精度に維持し易くすることができる。これにより、外環状シール部３４と塗布ボール２２の外面との間のシール性を確保しつつ、キャップ体１４を容器本体１１の口部１２から離脱させたときに、前記外隙間３９を確実に画成することが可能になり、当該塗布容器１０に、一層良好な塗布性能を具備させつつ、内容物の漏出を更に効果的に抑制することができる。
【００３５】
また本実施形態では、内保持筒１８における前記受圧部分と垂下筒２５とが、前記補強リブ２６により連結されているので、例えば使用時に、塗布ボール２２が押し込まれ、塗布ボール２２を介して前記受圧部分に押圧力が加えられたとしても、この押圧力を補強リブ２６および垂下筒２５に受け止めさせて内保持筒１８を変形させ難くすることが可能になり、当該塗布容器１０に一層良好な塗布性能を具備させることができる。
【００３６】
なお、本発明の技術的範囲は前記実施形態に限定されるものではなく、本発明の趣旨を逸脱しない範囲において種々の変更を加えることが可能である。
例えば、リング突条２４、垂下筒２５、補強リブ２６はなくてもよい。
【００３７】
また付勢部材３５は、前記実施形態に示したものに限られず、例えば図３および図４に示す塗布容器５０のような構成を採用してもよい。この塗布容器５０では、付勢部材３５は、内部材１９の内保持筒１８から、径方向の外側に突設された環状の皿ばねとされている。図３に示すように、付勢部材３５は、内保持筒１８において垂下筒２５よりも上側に位置する部分から径方向の外側に突設されている。付勢部材３５の基端は、内保持筒１８に全周にわたって連結されている。付勢部材３５の先端は、外部材２１の前記連結段部３２の下面に全周にわたって液密に当接している。付勢部材３５は、下方に向けて弾性変形させられており、外部材２１は、付勢部材３５の弾性復元力により、内部材１９に対して上側に向けて付勢されている。
【００３８】
また前記実施形態では、付勢部材３５が、外部材２１と内部材１９との間をシールしているものとしたが、これに限られるものではない。例えば、外部材２１の外保持筒２０の下端を、内部材１９の内保持筒１８の上端に上側から液密に当接させることや、付勢部材３５と異なるシール材を外部材２１と内部材１９との間に設けること等により、付勢部材３５によらず、外部材２１と内部材１９との間をシールしてもよい。このように、外部材が、内部材に、該内部材との間がシールされた状態で、上側に向けて移動可能に配設された他の構成に適宜変更してもよい。
【００３９】
また前記実施形態では、付勢部材３５が、内部材１９と外部材２１との間に配設されているものとしたが、これに限られるものではく、外部材と容器本体の口部との間に配設されていてもよい。
【００４０】
また前記実施形態では、キャップ体１４は、外部材２１において外保持筒２０を回避した部分に当接することで、外部材２１の移動を規制するものとしたが、これに限られず、外保持筒２０に当接してもよい。
【００４１】
また前記実施形態では、ガイド筒２９は、内部材１９の内保持筒１８および容器本体１１の口部１２に一体に外挿されているものとしたが、これに限られるものではなく、例えば、内保持筒１８または口部１２のいずれか一方にのみ外挿されていてもよい。
【００４２】
また前記実施形態では、内環状シール部２３が突起状に形成され、外環状シール部３４が面状に形成されていているものとしたが、これに限られない。例えば、外環状シール部が突起状に形成されていてもよく、内環状シール部が面状に形成されていてもよい。
【００４３】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４４】
１０、５０  塗布容器
１１  容器本体
１２  口部
１３  中栓
１４  キャップ体
１８  内保持筒
１９  内部材
２０  外保持筒
２１  外部材
２２  塗布ボール
２３  内環状シール部
３４  外環状シール部
３５  付勢部材
Ｏ  容器軸
【図１】
0005789534.tif 000002
【図２】
0005789534.tif 000003
【図３】
0005789534.tif 000004
【図４】
0005789534.tif 000005